(57)【要約】      （修正有）【課題】卓上でカード表示を直線的に３ケ同時表示ができ、容易に組立可能なカードケースを提供する。【解決手段】カードケースの一つのカードケースの形は、例えば幅１４０ｍｍ、高さ１５０ｍｍで、この左右のマチＡ７の内側に接してそれぞれ３個のスリット６と底部のマチＢ８に内接して２個のスリット６を作る。これをあと２個分の他のカードケースを同様に作り３個連ねとして、該他のカードケースの左右のマチＥの外側に接した３個の差し込みと底部のマチＥに接した２個の差し込みを作り、カードケースのスリットに３個の他のカードケースの差し込みを嵌めて組み立てる。【選択図】図２
0003168714.tif 000002
【実用新案登録請求の範囲】
【請求項１】
カードケース
これは、カードを表示するためのケースであり、上部にはカードの差し込み口（図１の２）があり、前面にはカード表示窓があり、一つのケースにはカード数枚が入り、カード３ケ同時表示用のカードケースである。
【請求項２】
カードケース台
これは、カードケース台の差し込み溝にカードケースを差し込むことでカードケースを垂直で直線的に立てるための台である。
【考案の詳細な説明】
【技術分野】
【０００１】  このカード立ては、手作りするものであり、カードケースとカードケース台を組みみ立てて作る、垂直で直線的に３ケ同時表示できる文房具である。
【背景技術】
【０００２】（イ）市販されている卓上各種カード立ては、１〜２ケ同時表示用である。
（ロ）市販のバインダー方式で綴られたカード立ては、１ケ同時表示用であり、必要時にめくる構造である。
（ハ）卓上カード立てで、垂直で直線的に３ケ同時表示のカード立てがない。
（ニ）手作りできるものはない。
【考案の開示】
【考案が解決しようとする課題】
【０００３】  卓上でカードを垂直で直線的に３ケ同時表示ができ、手作りできるカード立てとする。
【課題を解決するための手段】
【０００４】（イ）３ケ同時表示できるカードケースを作る。
（ロ）カードケースを垂直で直線的に立てられるカードケース台を作る。
（ハ）カードケースをカードケース台に差し込み、カードケースを垂直で直線的に立てられるものとする。
（ニ）簡単に手作りで組み立てできる構造とし、手作りを楽しめるものとする。
【考案の実態の形態】
【０００５】（イ）図１は、カードケース組立全体図を示し、カードケース３ケ同時表示の形を示す。
（ロ）カードケースは、図２の６に示すカードケース１のスリットに図３の８に示すカードケース２の差し込みをはめて組み立てる。
（ハ）図４は、カードケース台の全体図に示す。
（ニ）図５のカードケース台の差し込み溝にカードケースを差し込み卓上形カード立てができる。
（ホ）カードケース及びカードケース台は、３ケ同時表示用であるが、切り取れば１ケ表示あるいは２ケ同時表示のカード立てができる。
（ニ）カードケースだけでもジグザグ状に置けば立てられる。
【考案の効果】
【０００６】（イ）カード立ては３ケ同時表示であるので、過去の記録及び月々にまたがる予定などが一目でよくわかる。
【考案を実施するための最良の形態】
【０００７】  卓上カレンダーとして、１２月分を６枚のカードに両面印刷にして、カードケースに２枚づつ入れて３ケ月同時表示すれば垂直で直線的に３ケ月カレンダー立てができる。
【実施例】
【０００８】  卓上カレンダー立てとして、常時３ケ月カレンダーとなり、カレンダーにメモ記入できれば、長期予定が分かりやすい。
【産業上の利用可能性】
【０００９】  カードケースを丈夫な材料で作り、工場などの数ヶ月予定として必要情報を記入して常に３ケ月以上の情報を表示できる。
【図面の簡単な説明】
【００１０】
【図１】カードケース組立全体図
【図２】カードケース１の図
【図３】カードケース２の図
【図４】カードケース台全体図
【図５】カードケース台の断面図
【図６】カード立て完成図
【符号の説明】
【００１１】    １  カードケース組立
２  カード差し込み口
３  切り離し線
４  カードケース１本体
５  カードケース２本体
６  スリット（切れ目）
７  カード表示窓
８  差し込み
９  カードケース台本体
１０  差し込み溝
【図１】
0003168714.tif 000003
【図２】
0003168714.tif 000004
【図３】
0003168714.tif 000005
【図４】
0003168714.tif 000006
【図５】
0003168714.tif 000007
【図６】
0003168714.tif 000008
【手続補正書】
【提出日】平成22年12月16日(2010.12.16)
【手続補正１】
【補正対象書類名】実用新案登録請求の範囲
【補正対象項目名】全文
【補正方法】変更
【補正の内容】
【実用新案登録請求の範囲】
【請求項１】
カ−ドケ−ス
これは、カード３ケ同時表示用できるもので、上部にはカードの差し入れ口があり、前面にはカード表示窓がある構造のものであり、具体的には、カードケース１本体（図２）には８個のスリットを明けた部分が３箇所あるが、図２ではその１箇所だけをを示しているが、これら３箇所にカード表示窓のあるカードケース２本体（図３）をその８個ある差し込みを差し込むことで、カード表示窓が３箇所あるカードケースを簡単に組み立てることのできる特徴があるカードケース。
【請求項２】
カ−ドケ−ス台
材料を図４のようにＭ字型に折り曲げ、頂部に図５に示すように凹の溝を作り、この溝に請求項１に記載のカードケースの下部を差し込むことによりカードケースの重さで溝が締まり図６のように垂直で直線的に簡単にカードケースを立てることができる特徴があるカードケース台。
【手続補正書】
【提出日】平成23年4月2日(2011.4.2)
【手続補正１】
【補正対象書類名】実用新案登録請求の範囲
【補正対象項目名】全文
【補正方法】変更
【補正の内容】
【実用新案登録請求の範囲】
【請求項１】
カ−ドケ−ス
これは、表示窓があるカード入れケースが３個連なったものあり、カード３箇所同時表示できるものであって、３個それぞれの上部にはカードの差し入れ口があり、それぞれの前面にはカード表示窓がある構造のもので、具体的にはカードケース１とカードケース２の２種類の形のものを組み合わせるものであり、カードケース１としては例えば一つカードケースの形となる部分が縦１５０ｍｍ、横１４０ｍｍとしてこれを３個連ねたものであり、この一つのカードケースの形の部分の左右両端には縦に３個づつスリットを作り、また底辺に沿って２個のスリットを作るものあり、即ち一つのカードケースの形には８個のスリットがあるものであって、カードケース２としては左右両端及び下部にカードケース１の一つのカードケースの形の８個のスリットに対応する差し込みを作り、表示窓として中央部にカード表示に必要な大きさの窓、例えば横１１０ｍｍ、たて１２０ｍｍ程度の切り抜きを作るもので、即ちカードケース１の３個のカードケースの形のそれぞれのスリットに３個のカードケース２の差し込みを差し込むことでカード表示窓が３箇所あるカードケースを簡単に組み立てることのできる特徴があるカードケース。
【請求項２】
カ−ドケ−ス台
請求項１のカードケース１の長さに対応したもので、例えば横４００ｍｍ、縦８０ｍｍの材料を断面がＭ字型になるように折り曲げ、頂部に凹の溝を作り、この溝の下部外側をクリップ等で押さえるようにすれば差し込められたものを固定できるものであって、この溝に請求項１のカードケースの下部を差し込ことによりカードケースの重さでさらに溝が締まり垂直で直線的に簡単にカードケースを立てることができる特徴があるカードケース台。
【手続補正２】
【補正対象書類名】明細書
【補正対象項目名】全文
【補正方法】変更
【補正の内容】
【考案の詳細な説明】
【技術分野】
【０００１】    このカード立ては、カードケースをカードケース台に差し込み垂直に立てる構造になっており、カードケースはカードケース１とカードケース２から成っており、カードケース１は一つのカードケースの形に８個のスリットがある部分が３個連なっているもので、このそれぞれにカードケース２として一つの表示窓があるもので８個の差し込みがあるものを３個それぞれ嵌め合わせることで組み立てて、カードケース台に差し込むものであって、即ち垂直で直線的に３箇所同時表示できる手作り文房具である。
【背景技術】
【０００２】（イ）市販されている卓上各種カード立ては、１〜２箇所同時表示用である。
（ロ）市販のバインダ−方式で綴られたカード立ては、１箇所同時表示用であり、必要時にめくる構造である。
（ハ）卓上カード立てで、垂直で直線的に３箇所同時表示のカード立てがない。
（ニ）組み立て等の手作りできるものはない。
【考案の開示】
【考案が解決しようとする課題】
【０００３】  卓上でカードを垂直で直線的に３箇所同時表示ができ、組み立てできるカード立てとする。
【課題を解決するための手段】
【０００４】（イ）３箇所同時表示できるカードケースを作る。
（ロ）カードケースを垂直で直線的に立てられるカードケース台を作る。
（ハ）カードケースをカードケース台に差し込み、カードケースを垂直で直線的に立てられるものとする。
（ニ）簡単に組み立てできる構造とし、手作りを楽しめるものとする。
【考案の実態の形態】
【０００５】（イ）図１は、カードケース全体図を示し、例えば３連用として全幅４１７ｍｍ、高さ１５０ｍｍとして、カ−ドケ−ス３箇所同時表示の図を示す。
（ロ）カードケースは、図２に示すカードケース１の一つのカードケースの形は、例えば幅１４０ｍｍ、高さ１５０ｍｍで、この左右のマチＡの内側に接してそれぞれ３個のスリットと底部のマチＢに内接して２個のスリットを作るもので、これをあと２個分を同様に作り３個連ねとして、また図３に示すカードケース２の左右のマチＥの外側に接した３個の差し込みと底部のマチＥに接した２個の差し込みを作り、カードケース１のスリットに３個のカードケース２の差し込みを嵌めて組み立てる。
（ハ）図４は、カ−ドケ−ス台の全体図に示す。
（ニ）図５のカ−ドケ−ス台の差し込み溝にカ−ドケ−スを差し込み卓上形カード立てができる。
（ホ）カ−ドケ−ス及びカードケース台は、３箇所同時表示用であるが、切り取れば１箇所表示あるいは２箇所同時表示のカード立てができる。
（ニ）カードケースだけでも三角形にしてあるいは曲げて置けば立てられる。
【考案の効果】
【０００６】（イ）カ−ド立ては３箇所同時表示であるので、過去の記録、現在及び月々にまたがる予定などが一目でよくわかる。
【考案を実施するための最良の形態】
【０００７】    卓上カレンダーとして、１２月分を６枚のカードに両面印刷にして、カードケースに２枚づつ入れて３ケ月同時表示すれば垂直で直線的に３ケ月カレンダー立てができる。
【実施例】
【０００８】    卓上カレンダー立てとして、常時３ケ月カレンダーとして、カレンダーにメモを記入できれば、四半期予定が分かりやすい。
【産業上の利用可能性】
【０００９】    カードケースを丈夫な材料で作り、工場などで壁等に掲げ常時３ヶ月予定として必要情報を表示すれば、予定を追加するだけ更新ができ、かつ実施予定が分かりやすい。
【図面の簡単な説明】
【００１０】
【図１】カードケース全体図
【図２】カードケース１の図
【図３】カードケース２の図
【図４】カードケース台全体図
【図５】カードケース台の断面図
【図６】カード立て完成図
【符号の説明】
【００１１】１  カードケース
２  カ−ド差し入れ口
３  切り離し線
４  カードケース１本体
５  カードケース２本体
６  スリット（切れ目、例えば長さ２０ｍｍ）
７  マチＡ（例えば５ｍｍ）
８  マチＢ（例えば１０ｍｍ）
９  カード表示窓（例えば縦１２０ｍｍ横１１０ｍｍ）
１０  差し込み
１１  マチＣ（例えば３ｍｍ）
１２  マチＤ（例えば５ｍｍ）
１３  マチＥ（例えば１０ｍｍ）
１４  カードケース台本体
１５  差し込み溝
【手続補正３】
【補正対象書類名】図面
【補正対象項目名】全図
【補正方法】変更
【補正の内容】
【図１】
0003168714.tif 000009
【図２】
0003168714.tif 000010
【図３】
0003168714.tif 000011
【図４】
0003168714.tif 000012
【図５】
0003168714.tif 000013
【図６】
0003168714.tif 000014